(57)【要約】【課題】  簡易な構成により握りバーにタオル掛けの機能を容易に付加できて、使い勝手の向上や浴室内のデザイン低下等を図り得る握りバー装置を提供する。【解決手段】  浴室壁面に取り付けられる左右一対の取付部と、該取付部間に略水平状態で設けられた握りバーと、取付部間で握りバーの後方下部に設けられ握りバーより剛性の低いタオル掛けと、を備えることを特徴とする。タオル掛けは、その外径が握りバーの外径に対して小さく設定されたり、二分割状態とされて左右の取付部にそれぞれ設けられる。また、タオル掛けは、左右一対の取付部かもしくは握りバーの両端部に対して、固定的、着脱可能及び傾動可能な取付方法で取り付けられる。【選択図】  図２
2006122126.tif 000002
【特許請求の範囲】
【請求項１】
浴室壁面に取り付けられる左右一対の取付部と、該取付部間に略水平状態で設けられた握りバーと、前記取付部間で握りバーの後方下部に設けられ握りバーより剛性の低いタオル掛けと、を備えることを特徴とする握りバー装置。
【請求項２】
前記タオル掛けは、その外径を握りバーの外径に対して小さく設定することにより、握りバーとして機能しない低い剛性に設定されていることを特徴とする請求項１に記載の握りバー装置。
【請求項３】
前記タオル掛けは、二分割状態とされて左右の取付部にそれぞれ設けられていることを特徴とする請求項１または２に記載の握りバー装置。
【請求項４】
前記タオル掛けは、左右一対の取付部かもしくは握りバーの両端部に対して、固定的、着脱可能及び傾動可能な取付方法のうち少なくとも一つの取付方法で取り付けられていることを特徴とする請求項１ないし３のいずれかに記載の握りバー装置。
【請求項５】
前記取付部は、浴室壁面に対して取付金具により後付可能に構成されていることを特徴とする請求項１ないし４のいずれかに記載の握りバー装置。
【発明の詳細な説明】
【技術分野】
【０００１】
本発明は、例えばシステムバスルーム等の浴室の壁面に取り付けられる握りバー装置に関する。
【背景技術】
【０００２】
一般的に、浴室の例えばドア近傍の壁面の所定高さ位置には、入浴者が手で掴むことができる握りバーが取り付けられているが、従来、この種の握りバーとしては、例えば特許文献１に開示のものが知られている。この握りバー（握りバー兼用タオル掛け）は、浴室のドアのハンドル近傍の壁面に、正面視湾曲部と直線部とからなるタオル掛けの取付部を取り付け、このタオル掛けの直線部を握りバーとして兼用するようにしたものである。
【特許文献１】実開平５−９６３４３号公報
【発明の開示】
【発明が解決しようとする課題】
【０００３】
しかしながら、この特許文献１に開示の握りバーにあっては、タオル掛けが正面視で屈曲形成されその直線部が握りバーとしても兼用される構造であるため、直線部をタオル掛けとして使用している場合に、当該直線部を握りバーとして使用することが現実的に困難であると共に、握りバーが直線部と正面視湾曲部の棒状に一体化されていることから、握りバーとして使用される直線部の長さを使い勝手に優れた十分な長さに設定することも難しい。そこで、直線部を長くして握りバーとしての使い勝手を向上させることも考えられるが、この場合は、握りバーの全体形状が大きくなって、浴室内のデザイン低下を招いたり、浴室壁面への取付スペースの面でも制約を受け易くなる。
【０００４】
本発明は、このような事情に鑑みてなされたもので、その目的は、簡易な構成により握りバーにタオル掛けの機能を容易に付加できて、使い勝手の向上や浴室内のデザイン低下等を図り得る握りバー装置を提供することにある。
【課題を解決するための手段】
【０００５】
かかる目的を達成すべく、本発明のうち請求項１に記載の発明は、浴室壁面に取り付けられる左右一対の取付部と、該取付部間に略水平状態で設けられた握りバーと、前記取付部間で握りバーの後方下部に設けられ握りバーより剛性の低いタオル掛けと、を備えることを特徴とする。
【０００６】
そして、前記タオル掛けは、請求項２に記載の発明のように、その外径を握りバーの外径に対して小さく設定することにより、握りバーとして機能しない低い剛性に設定されていたり、請求項３に記載の発明のように、二分割状態とされて左右の取付部にそれぞれ設けられていることが好ましい。
【０００７】
また、前記タオル掛けは、請求項４に記載の発明のように、左右一対の取付部かもしくは握りバーの両端部に対して、固定的、着脱可能及び傾動可能な取付方法のうち少なくとも一つの取付方法で取り付けられていることが好ましい。さらに、前記取付部は、請求項５に記載の発明のように、浴室壁面に対して取付金具により後付可能に構成されていることが好ましい。
【発明の効果】
【０００８】
本発明のうち請求項１に記載の発明によれば、左右一対の取付部が浴室壁面の例えばドア近傍に取り付けられ、この取付部間に略水平状態で握りバーが設けられると共に、この握りバーの後方下部で取付部間に握りバーより剛性の低いタオル掛けが設けられているため、所定長さの握りバーにタオル掛けの機能を容易に付加できて、握りバー装置の使い勝手の向上を図ることができると共に、左右一対の取付部の浴室壁面への取り付けにより、取付構造等を簡略化して浴室内のデザイン低下を防止したり、取付スペースの制約を受けることなく所定位置に簡単に取り付けることができる。
【０００９】
また、請求項２に記載の発明によれば、請求項１に記載の発明の効果に加え、タオル掛けの外径が握りバーの外径に対して小さく設定されることにより、握りバーとして機能しない低い剛性に設定されているため、握りバーにのみ握りバーとしての機能を確実に持たせることができて、握りバー装置の使い勝手の一層の向上を図ることができる。
【００１０】
また、請求項３に記載の発明によれば、請求項１または２に記載の発明の効果に加え、タオル掛けが二分割状態とされて左右の取付部にそれぞれ設けられているため、タオル掛けの剛性をタオルが掛けられるに適した剛性に簡単に設定することができる。
【００１１】
また、請求項４に記載の発明によれば、請求項１ないし３に記載の発明の効果に加え、タオル掛けが左右一対の取付部かもしくは握りバーの両端部に対して、固定的、着脱可能及び傾動可能な取付方法のうち少なくとも一つの取付方法で取り付けられているため、タオル掛けをその使用頻度等に応じて所定の形態で取り付けることができて、その使い勝手のより一層の向上を図ることができる。
【００１２】
さらに、請求項５に記載の発明によれば、請求項１ないし４に記載の発明の効果に加え、取付部が浴室壁面に対して取付金具により後付可能に構成されているため、取付部をシステムバス等の浴室壁面の所定位置に簡単に取り付けることができて、設置の汎用性を向上させることができる。
【発明を実施するための最良の形態】
【００１３】
以下、本発明の実施の形態を図面に基づいて詳細に説明する。
図１〜図４は、本発明に係わる握りバー装置の第１の実施形態を示し、図１が該握りバー装置を設置した浴室の内部斜視図、図２がその握りバー装置の斜視図、図３が縦断面図、図４が浴室壁面への取付状態を示す断面図である。
【００１４】
図１に示すように、本発明に関わる握りバー装置１が設置される浴室２は、防水パン上にバスタブ３が設置されると共にカウンター５が配置される洗い場４が設けられ、４枚の壁パネル６（浴室壁面）と天井パネル７とで略箱状に形成されている。４枚の壁パネル６のうち例えば洗い場４側方の壁パネル６ａにはドアノブ８ａが設けられたドア８が設置され、このドア８近傍の壁パネル６ａには、本発明に係わる握りバー装置１が取り付けられている。
【００１５】
この握りバー装置１は、図２に示すように、壁パネル６ａに取り付けられる左右一対の取付部１０と、この取付部１０間に水平状態で設けられたそれぞれストレートな握りバー１１及びタオル掛け１２を有している。取付部１０は、例えば樹脂成形品によって内部に取付隔壁１３ａを有する取付用空間１３（図４参照）が形成されると共に、その左右厚さ方向の内側壁１３ｂに設けた孔１５にパイプ状（もしくは棒状）の握りバー１１の長手方向の両端部１１ａが嵌合固定されている。この握りバー１１は、例えば樹脂成形品によってストレートに形成され、左右一対の取付部１０間で該取付部１０の上部前端側間に懸架状態で取り付けられることにより、入浴者が手で握った場合に入浴者の身体をしっかりと支えることが可能な剛性に設定されている。
【００１６】
また、前記タオル掛け１２は、例えば握りバー１１の外径に対して小径なストレートなステンレス棒によって形成され、その両端部が各取付部１０の内側壁１３ｂで握りバー１１より後方下部に形成された孔１４（図４参照）に嵌合固定されることにより、一対の取付部１０間に懸架状態で取り付けられている。この時、タオル掛け１２は、図３に示すように、握りバー１１の中心に対して高さ寸法Ｈ（例えば５０ｍｍ程度）下方に位置し、奥行き寸法Ｌ（例えば２０ｍｍ程度）後方側に位置するように設定されており、この握りバー１１とタオル掛け１２の位置設定により、入浴者が握りバー１２を握る際に誤ってタオル掛け１２を握ることがないように設定されている。また、タオル掛け１２の外径は、例えば６ｍｍ程度と握りバー１１の外径（例えば３０ｍｍ程度）に対して小さく、握りバーとして機能しないように設定されている。
【００１７】
そして、このように構成された握りバー装置１は、図４に示すようにして壁パネル６ａに後付けによって取り付けられている。すなわち、壁パネル６ａのドア８のドアノブ８ａ近傍の取付位置に取付孔１６を穿設し、この取付孔１６内に浴室２内側から、取付ネジ１７ａの一端部に４枚（もしくは２枚）の拡開板１７ｂが拡開可能に装着された取付金具１７を、各拡開板１７ｂが閉じた状態で嵌挿させる。そして、この状態で、取付ネジ１７ａに嵌挿されているブロック１７ｃを取付孔１６内に位置させると共に、各拡開板１７ｂを壁パネル６ａの反浴室２側で拡開させ、壁パネル６ａの浴室２内側に突出した取付ネジ１７ａの他端部のネジ部に、スペーサ１７ｄ及び取付座１７ｅを介してナット１７ｆをねじ込む。
【００１８】
このナット１７ｆの取付ネジ１７ａへのねじ込みで取付金具１７が壁パネル６ａの取付孔１６部分に所定強度で固定され、この取付金具１７の取付座１７ｅに握りバー装置１の各取付部１０の内部に形成されている前記取付用空間１３の隔壁１３ａからネジ１８をねじ込んで隔壁１３ａを取付金具１７に固定する。これにより、取付部１０が壁パネル６ａに取り付けられ、両取付部１０間に握りバー１１とタオル掛け１２が配置された握りバー装置１が浴室２内の壁パネル６ａに後付けされることになる。なお、この握りバー装置１の取付部１０の取付金具１７に対するネジ１８のねじ込み作業は、例えば取付部１０の周面に設けた図示しないカバーを取り外すことによって行われる。
【００１９】
また、取付部１０の壁パネル６ａへの取付構造は、以上の例に限定されず、例えば前記取付金具１７とは異なる適宜形態の取付金具を使用して取り付けても良いし、取付金具１７を使用した後付けに限らず、例えば取付部１０を直接壁パネル６ａにネジ等により固定する構造とすることもできる。さらに、握りバー装置１における各取付部１０に対する握りバー１１やタオル掛け１２の取り付けも、予め取付部１０に握りバー１１とタオル掛け１２を組み付けた状態で両取付部１０を壁パネル６ａに取り付ける構造に限らず、例えば取付部１０を壁パネル６ａに取り付けた状態で、この取付部１０に握りバー１１とタオル掛け１２を取り付ける構造を採用することもできる。
【００２０】
この握りバー装置１によれば、入浴者がドア８を開けて浴室２内に入り洗い場４に腰を降ろそうとしたり、あるいは洗い場４から浴室２外に出ようとする場合等に、入浴者が手で握りバー１１を握ることによりその身体を支えつつ行うことができる。そして、入浴者が手で握りバー１１を握る際に、握りバー１１が左右一対の取付部１０の上部前端側に懸架状態で取り付けられていることから、握りバー１１をスムーズに掴んで確実に握ることができて、身体を安定して支えることができる。
【００２１】
また、この握りバー１１の使用時に、握りバー１１の下部後方側に位置して配置されたタオル掛け１２を入浴者が誤って握ることが防止されると共に、万一入浴者がタオル掛け１２を握った場合でも、外径が握りバー１１に対して極めて細く剛性的に低いタオケ掛け１２であることを素早く感知できて、握りバー１１を握り代えることが可能となる。一方、浴室２内の洗い場４で使用するタオルを握りバー装置１に掛ける場合は、図２に示すようにして、タオル１９をタオル掛け１２に掛けることができ、洗い場４の近くにタオル１９を掛けて使用することができる。また、このタオル１９を掛けた状態でも、握りバー１１がタオル１９の前方上方に所定間隔を有して位置していることから、握りバー１１を入浴者が手で確実に握ることができる。
【００２２】
このように、上記実施形態の握りバー装置１にあっては、浴室２の壁パネル６ａのドア８近傍に左右一対の取付部１０が取り付けられ、この取付部１０間に水平状態で握りバー１１が取り付けられると共に、この握りバー１１の後方下部で取付部１０間に握りバー１１より剛性の低いタオル掛け１２が取り付けられているため、取付部１０間で握りバー１１の後方下部にタオル掛け１２を設けるという簡易な構成により、握りバー装置１に握りバーの機能の他にタオル掛けの機能を容易に付加することができて、例えばタオル掛け１２にタオル１９を掛けた状態でも握りバー１１を使用できる等、握りバー装置１の使い勝手の向上を図ることができる。
【００２３】
特に、握りバー１１の外径を手で握り易い大きさに設定すると共に、タオル掛け１２の外径を手で握り難くかつ握った場合でも握りバー１１でないことを入浴者が敏感に感知できる大きさに設定しているため、握りバー１１には握りバーとして機能する剛性を確保し、タオル掛け１２にはタオル掛けとして機能する剛性を確保できて、握りバー装置１の使い勝手を一層向上させることができると共に、例えばタオル掛け１２を握りバーとして使用することを抑制できて、十分な安全性を確保した握りバー装置１を提供することが可能となる。
【００２４】
また、左右一対の取付部１０間に、上下方向及び前後方向の取付位置を変えた状態で握りバー１１とタオル掛け１２とが取り付けられているため、取付部１０間に配置される握りバー１１を握りバーとして最適な長さの直線状に形成することができて、握りバー１１としての使い勝手のより一層の向上を図ることができる。また、一対の取付部１０間に握りバー１１とタオル掛け１２とが一体化された状態で壁パネル６ａにコンパクトに取り付けられているため、握りバー装置１を浴室２のドア８近傍の壁パネル６ａにすっきりと取り付けることができて、浴室２内面のデザイン低下を防止することができると共に、取付スペースの制約を受けることがなくなり、握りバー装置１を握りバー及びタオル掛けとして浴室２内で快適に使用し得る最適位置に簡単に設置することが可能となる。
【００２５】
さらに、取付部１０が浴室２の壁パネル６ａに対して取付金具１７を使用して、後付けが可能となるように構成すれば、取付部１０を新築や既存のシステムバス等の壁パネル６ａのドア８近傍に簡単に取り付けることができて、握りバー装置１の設置の汎用性を向上させることができ、各種の浴室２に適用することが可能となる。また、握りバー装置１が一対の取付部１０と握りバー１１及びタオル掛け１２の主に３つの部材で形成されているため、例えば握りバーとタオル掛けを別々に壁パネル６ａに固定する場合に比較して、例えば取り付けのための部材数や取付工数を低減させて安価な握りバー装置１を提供することが可能となる。
【００２６】
図５〜図９は、本発明に関わる握りバー装置の他の実施形態を示しており、以下、上記実施形態と同一部位には同一符号を付して説明する。先ず、図５に示す実施形態の握りバー装置１の特徴は、左右一対の取付部１０間に懸架状態で設けられるタオル掛け１２を、正面視で略コ字状に屈曲させ、タオル掛け部１２ａを取付部１０より下方に延設させて設けるようにした点にある。この時タオル掛け１２は、その両端部が取付部１０の内側壁１３ｂの孔１４に下端が後方側に位置するように傾斜状態で嵌合固定されることにより、タオル掛け１２のタオル掛け部１２ａが握りバー１１に対して下部後方側に位置するように設定されている。
【００２７】
この構成においても、握りバー装置１に握りバーの機能とタオル掛けの機能を同時に持たせることができて、上記実施形態と同様の作用効果が得られる他に、タオル掛け１２のタオル掛け部１２ａと握りバー１１との間に十分な間隔が確保されることから、タオル掛け１２にタオル１９を簡単に掛けることができたり、握りバー１１を壁パネル６ａの比較的高い位置に設置した場合であっても、入浴者が洗い場４に座りながらタオル１９をとったり掛けたりすることができて、握りバー装置１の使い勝手が一層向上するという作用効果を得ることができる。
【００２８】
また、図６及び図７に示す実施形態の握りバー装置１の特徴は、正面視コ字状のタオル掛け１２の両端部を握りバー１１の両端部１１ａに固定することにより、左右一対の取付部１０間の空間内に懸架状態で設けられるようにした点にある。この時のタオル掛け１２も、図５と同様に、その両端部を握りバー１１の両端部１１ａの下部周面の孔２１に下端が後方側に位置するように傾斜状態で嵌合固定することにより、タオル掛け１２のタオル掛け部１２ａが握りバー１１に対して下部後方側に位置するように設定されている。この構成においても、図５に示す実施形態の握りバー装置１と同様の作用効果を得ることができる。
【００２９】
さらに、図８に示す実施形態の握りバー装置１の特徴は、前記ストレートなタオル掛け１２を左右方向に二分割構造とし、両タオル掛け１２の端部を取付部１０の内側壁１３ｂの孔１４にそれぞれ嵌合固定するようにした点にある。この時、二分割されたタオル掛け１２間の間隔寸法は、タオル１９を掛けるのに悪影響を与えない適宜の寸法に設定されている。この実施形態においても、上記実施形態と同様の作用効果が得られる他に、タオル掛け１２の剛性をタオル１９を掛けるに適した剛性に容易に設定できるという作用効果を得ることができる。
【００３０】
なお、この実施形態において、図の二点鎖線で示すように、二分割状態の各タオル掛け１２を各取付部１０に対して着脱可能に構成しても良く、このように構成すれば、例えばタオル掛け１２を必要としない場合に、各タオル掛け１２を取り外すことができて、ユーザーの各種使用形態等に的確に対応した握りバー装置１を提供することが可能となる。
【００３１】
また、図９に示す実施形態の握りバー装置１の特徴は、前記ストレートなタオル掛け１２を左右方向に二分割構造とすると共に、両タオル掛け１２を取付部１０に軸受部２０により回動可能に支持するようにした点にある。この例の場合には、両タオル掛け１２を二点鎖線で示すように、例えば水平面内（もしくは傾斜面内）で回動させて、両タオル掛け１２の先端部分を浴室２側に引き出して使用でき、タオル掛け１２の使い勝手をより一層向上させることができることになる。このように、本発明に係わるタオル掛け１２は、例えばタオル掛け１２の使用頻度等に応じて、取付部１０や握りバー１１の両端部に対し、固定的や着脱可能あるいは傾動可能な各種の取付方法で取り付けることができる。
【００３２】
なお、本発明は上記した各実施形態のそれぞれに限定されるものではなく、例えば図８に示す着脱可能な構成を図６に示す実施形態に適用する等、各実施形態の全部もしくは一部を適宜に組み合わせた構成とすることもできる。また、上記各実施形態においては、握りバー装置１を浴室２のドア８近傍の壁パネル６ａに取り付けたが、壁パネル６ａのカウンター５側等、浴室２内の適宜の壁パネル６に取り付けることができる。さらに、上記各実施形態における、取付部１０の形状や握りバー１１やタオル掛け１２の外径等も一例であって、例えば握りバー１１とタオル掛け１２の周面の適宜位置に手やタオル１９の滑り止めと両部材の識別機能を有する凹凸部等を設ける等、本発明に係わる各発明の要旨を逸脱しない範囲において適宜の形状等を採用することができる。
【産業上の利用可能性】
【００３３】
本発明は、一般家庭のシステムバスルーム等の浴室に限らず、例えば一般家庭の洗面室やトイレあるいは台所等の水廻り空間等に設置される各種の握りバー装置に適用したり、一般家庭以外の例えば病院や公共施設等に設置される各種の握りバー装置にも適用できる。
【図面の簡単な説明】
【００３４】
【図１】本発明に係わる握りバー装置を使用した浴室の内部斜視図
【図２】同握りバー装置の斜視図
【図３】同その縦断面図
【図４】同浴室壁面への取付状態を示す断面図
【図５】本発明に係わる握りバー装置の他の実施形態を示す正面図
【図６】本発明に係わる握りバー装置のさらに他の実施形態を示す正面図
【図７】同その縦断面図
【図８】本発明に係わる握りバー装置のさらに他の実施形態を示す平面図
【図９】本発明に係わる握りバー装置のさらに他の実施形態を示す平面図
【符号の説明】
【００３５】
１・・・握りバー装置、２・・・浴室、３・・・バスタブ、４・・・洗い場、６、６ａ・・・壁パネル、８・・・ドア、８ａ・・・ドアノブ、１０・・・取付部、１１・・・握りバー、１１ａ・・・両端部、１２・・・タオル掛け、１２ａ・・・タオル掛け部、１３・・・取付用空間、１３ａ・・・取付隔壁、１３ｂ・・・内側壁、１４、１５・・・孔、１６・・・取付孔、１７・・・取付金具、１９・・・タオル、２０・・・軸受部、２１・・・孔。
【図１】
2006122126.tif 000003
【図２】
2006122126.tif 000004
【図３】
2006122126.tif 000005
【図４】
2006122126.tif 000006
【図５】
2006122126.tif 000007
【図６】
2006122126.tif 000008
【図７】
2006122126.tif 000009
【図８】
2006122126.tif 000010
【図９】
2006122126.tif 000011